(57)【要約】【課題】  信号配線層に配置した複数の信号配線同士が相互に干渉することのないプリント配線板を提供する。【解決手段】  信号配線１０１〜１１０が形成された信号配線層１０を絶縁体層１２の一方の面に隣接して備えると共に、接地された配線が形成される接地配線層１１を絶縁体層１２の他方の面に隣接して備えたプリント配線板であって、接地配線層１１には、グランドプレーン１１１を形成し、信号配線層１０に形成された差動信号配線対１０４，１０５及び１０８，１０９と、他の信号配線との間には二本の接地配線１０２，１０３又は１０６，１０７を配置する。【選択図】  図１
2005123520.tif 000002
【特許請求の範囲】
【請求項１】
信号配線が形成される信号配線層を絶縁体層の一方の面に隣接して備えると共に、接地された配線が形成される接地配線層を前記絶縁体層の他方の面に隣接して備えたプリント配線板であって、
前記接地配線層には、グランドプレーンが形成され、
前記信号配線層に形成された差動信号配線対と他の信号配線との間には、二本の接地配線が配置されたことを特徴とするプリント配線板。
【請求項２】
少なくとも一つの差動信号配線対が形成された信号配線層を絶縁体層の一方の面に隣接して備え、接地された配線が形成される接地配線層を前記絶縁体層の他方の面に隣接して備えたプリント配線板であって、
前記接地配線層にはグランドプレーンが形成されており、
前記信号配線層に形成された差動信号配線対及び該信号配線層に形成されたシングルエンド信号配線の両脇には、接地配線がそれぞれ設置されており、
いずれかの差動信号配線対を為す信号配線と、他の差動信号配線対を為す信号配線又はシングルエンド信号配線との間に、前記接地配線が二本配置されたことを特徴とするプリント配線板。
【請求項３】
前記絶縁体層、前記信号配線層及び前記接地導体層が可撓性を有するフレキシブルプリント配線板であることを特徴とする請求項１又は２記載のプリント配線板。
【請求項４】
接地された配線が形成される接地配線層の一方の面に、信号配線が形成される第１の信号配線層が第１の絶縁体層を介在して設けられ、
前記接地配線層の他方の面に、信号配線が形成される第２の信号配線層が第２の絶縁体層を介在して設けられたプリント配線板であって、
前記接地配線層には、グランドプレーンが形成され、
前記第１及び第２信号配線層に形成された差動信号配線対の各々と、他の信号配線との間には、二本の接地配線が配置されたことを特徴とするプリント配線板。
【請求項５】
接地された配線が形成される接地配線層の一方の面に、少なくとも一つの差動信号配線対が形成された第１の信号配線層が第１の絶縁体層を介して設けられ、
前記接地配線層の他方の面に、少なくとも一つの差動信号配線対が形成された第２の信号配線層が第２の絶縁体層を介して設けられたプリント配線板であって、
前記接地配線層にはグランドプレーンが形成され、
前記第１及び第２の信号配線層に形成された差動信号配線対及び該信号配線層に形成されたシングルエンド信号配線の各々の両脇には、接地配線がそれぞれ設置されており、
いずれかの差動信号配線対を為す信号配線と、他の差動信号配線対を為す信号配線又はシングルエンド信号配線との間には、前記接地配線が二本配置されたことを特徴とするプリント配線板。
【請求項６】
前記絶縁体層、前記第１及び第２の信号配線層並びに前記第１及び第２の接地導体層が可撓性を有するフレキシブルプリント配線板であることを特徴とする請求項４又は５記載のプリント配線板。
【発明の詳細な説明】
【技術分野】
【０００１】
本発明は、プリント配線基板に関し、特に、高周波信号を安定して伝送できるプリント配線板に関する。
【背景技術】
【０００２】
近年、電子機器に内蔵されたプロセッサの動作クロックの高周波化に伴い、プリント配線板に形成された配線には、高周波の電気信号（高速信号）が伝送されるようになってきている。
【０００３】
電気信号は、周波数が高くなる程、信号が所定の出力レベルに維持されている状態の時間に対して立ち上がり・立ち下がり状態の時間の比率が大きくなり、ノイズの影響を受けやすくなる。また、一般的にノイズは信号の立ち上がり時や立ち下がり時に発生するため、配線パターンを伝わる信号が高周波化する程、他の配線パターンなどにノイズの影響を強く与えることとなる。
すなわち、高速信号になればなるほど、外部からのノイズの影響を受けやすくなるとともに、外部へノイズの影響を与えやすくなる。
【０００４】
このため、プリント配線板に形成した配線パターンに高速信号を伝送させる場合には、配線パターンを伝わる電気信号が外部からノイズの影響を受けたり、外部にノイズの影響を与えないように対策を施す必要がある。特に、１００ＭＨｚ以上の高速信号では、ノイズの影響が大きくなるため、プリント配線板に対するノイズ対策は不可欠である。
【０００５】
配線中にフィルタ素子を配置することによって、ノイズの影響を低減することも可能ではあるが、プリント配線板の中でも可撓性を有するフレキシブルプリント配線板の場合には、配線板が撓んで変形するため、配線パターンにフィルタ素子を配置して事後的にノイズを除去することは難しい。このため、特にフレキシブルプリント配線板の場合には、プリント配線板自体にノイズ対策を施すことが重要となる。
【０００６】
従来、差動信号配線とこれに隣接する信号配線との双方にノイズの影響が発生しないようにするためにプリント配線板自体にノイズ対策を施す場合には、特許文献１に開示される「差動平衡信号伝送基板」のように、差動信号配線及び信号配線の間にグランド配線を一本配設する方法が用いられていた。
【０００７】
図３に、従来のフレキシブルプリント配線板の断面構成を示す。従来のフレキシブルプリント配線板は、信号配線層５０、絶縁層５２及びグランド配線層５１が順に積層された構成である。
【０００８】
信号配線層５０には、シングルエンド配線１５１、差動信号配線１５３，１５４，１５６及び１５７、グランド配線１５２，１５５及び１５８が配置されている。また、グランド配線層５１には、面状にグランドプレーン１５９が配置されている。特許文献１に開示される発明は、このような構造を採用することにより、クロストークなどのノイズを抑制するものである。
【特許文献１】特開２００１−７４５８号公報
【発明の開示】
【発明が解決しようとする課題】
【０００９】
しかし、上記特許文献１に記載の発明は、差動信号配線１５３に信号電流が流れると、グランド配線１５２とグランドプレーン１５９とにリターン電流が流れる。また、シングルエンド配線１５１に信号電流が流れても、グランド配線１５２とグランドプレーン１５９とにリターン電流が流れる。このため、グランド配線１５２は、シングルエンド配線１５１に流れる信号電流のリターン電流と差動信号配線１５３に流れる信号電流のリターン電流との双方に電流経路として共用されることとなり、シングルエンド配線１５１と差動信号配線１５３とは相互にノイズの影響を受ける。
【００１０】
一方、差動信号配線１５４に信号電流が流れると、グランド配線１５５とグランドプレーン１５９とにリターン電流が流れる。また、差動信号配線１５６に信号電流が流れても、グランド配線１５５とグランドプレーン１５９とにリターン電流が流れる。このため、グランド配線１５５は、差動信号配線１５４に流れる信号電流のリターン電流と差動信号配線１５６に流れる信号電流のリターン電流との双方に電流経路として共用されることとなり、差動信号配線１５４と差動信号配線１５６とは相互にノイズの影響を受ける。
【００１１】
このように、上記特許文献１に記載の発明に代表される従来のプリント配線板では、プリント配線板自体に施されるノイズ対策が十分ではなく、信号配線層に配置した複数の信号配線が相互に干渉しないようにすることはできなかった。
【００１２】
本発明は係る問題に鑑みて為されたものであり、信号配線層に配置した複数の信号配線同士が相互に干渉することのないプリント配線板を提供することを目的とする。
【課題を解決するための手段】
【００１３】
上記目的を達成するため、本発明は、第１の態様として、信号配線が形成される信号配線層を絶縁体層の一方の面に隣接して備えると共に、接地された配線が形成される接地配線層を絶縁体層の他方の面に隣接して備えたプリント配線板であって、接地配線層には、グランドプレーンが形成され、信号配線層に形成された差動信号配線対と他の信号配線との間には、二本の接地配線が配置されたことを特徴とするプリント配線板を提供するものである。
【００１４】
また、上記目的を達成するため、本発明は、第２の態様として、少なくとも一つの差動信号配線対が形成された信号配線層を絶縁体層の一方の面に隣接して備え、接地された配線が形成される接地配線層を絶縁体層の他方の面に隣接して備えたプリント配線板であって、接地配線層にはグランドプレーンが形成されており、信号配線層に形成された差動信号配線対及び該信号配線層に形成されたシングルエンド信号配線の両脇には、接地配線がそれぞれ設置されており、いずれかの差動信号配線対を為す信号配線と、他の差動信号配線対を為す信号配線又はシングルエンド信号配線との間に、接地配線が二本配置されたことを特徴とするプリント配線板を提供するものである。
【００１５】
上記本発明の第１の態様又は第２の態様においては、絶縁体層、信号配線層及び接地導体層が可撓性を有するフレキシブルプリント配線板であることが好ましい。
【００１６】
また、上記目的を達成するため、本発明は、第３の態様として、接地された配線が形成される接地配線層の一方の面に、信号配線が形成される第１の信号配線層が第１の絶縁体層を介在して設けられ、接地配線層の他方の面に、信号配線が形成される第２の信号配線層が第２の絶縁体層を介在して設けられたプリント配線板であって、接地配線層には、グランドプレーンが形成され、第１及び第２信号配線層に形成された差動信号配線対の各々と、他の信号配線との間には、二本の接地配線が配置されたことを特徴とするプリント配線板を提供するものである。
【００１７】
また、上記目的を達成するため、本発明は、第４の態様として、接地された配線が形成される接地配線層の一方の面に、少なくとも一つの差動信号配線対が形成された第１の信号配線層が第１の絶縁体層を介して設けられ、接地配線層の他方の面に、少なくとも一つの差動信号配線対が形成された第２の信号配線層が第２の絶縁体層を介して設けられたプリント配線板であって、接地配線層にはグランドプレーンが形成され、第１及び第２の信号配線層に形成された差動信号配線対及び該信号配線層に形成されたシングルエンド信号配線の各々の両脇には、接地配線がそれぞれ設置されており、いずれかの差動信号配線対を為す信号配線と、他の差動信号配線対を為す信号配線又はシングルエンド信号配線との間には、接地配線が二本配置されたことを特徴とするプリント配線板を提供するものである。
【００１８】
上記本発明の第３の態様又は第４の態様においては、絶縁体層、第１及び第２の信号配線層並びに第１及び第２の接地導体層が可撓性を有するフレキシブルプリント配線板であることが好ましい。
【発明の効果】
【００１９】
本発明によれば、信号配線層に配置した複数の信号配線同士が相互に干渉することのないプリント配線板を提供できる。
【発明を実施するための最良の形態】
【００２０】
〔第１の実施形態〕
本発明を好適に実施した第１の実施形態について説明する。図１に、本実施形態に係るプリント配線板の構成を示す。このプリント配線板は、絶縁層１２を挟んで一方の面に信号配線層１０が、他方の面にはグランド配線層１１が配置されている。
【００２１】
信号配線層１０には、二つの差動信号配線対（差動信号配線１０４及び１０５の対と差動信号配線１０８及び１０９との対）、シングルエンド配線１０１、グランド配線１０２，１０３，１０６，１０７及び１１０が配置されている。
グランド配線層１１には、面状のグランドプレーン１１１が配置されている。
【００２２】
差動信号配線１０４及び１０５の対に関しては、差動信号配線１０４の隣にグランド配線１０３が、差動信号配線１０５の隣にはグランド配線１０６が配置されている。また、差動信号配線１０８及び１０９の対に関しては、差動信号配線１０８の隣にグランド配線１０７が、差動信号配線１０９の隣にグランド配線１１０が配置されている。すなわち、差動信号配線の対同士の間に、グランド配線１０６及び１０７という二本のグランド配線が配置されている。
【００２３】
また、シングルエンド信号配線１０１の隣には、グランド配線１０２が配置されている。すなわち、シングルエンド信号配線１０１と差動信号配線１０４との間には、グランド信号配線１０２及び１０３という二本のグランド配線が配置されている。
【００２４】
本実施形態にかかるプリント配線板に信号電流を流す場合の動作について説明する。
差動信号配線１０４及び１０５の対に信号電流が流れると、差動信号配線１０４に流れる信号電流のリターン電流は、グランドプレーン１１１とグランド配線１０３とに流れる。また、差動信号配線１０５に流れる信号電流のリターン電流は、グランドプレーン１１１とグランド配線１０６とに流れる。
【００２５】
この際にグランドプレーン１１１に流れる二つのリターン電流は、対である差動信号電流のリターン電流同士であるから、逆方向の電流が打ち消しあって実際にはグランドプレーン１１１には電流が殆ど流れない。一方、グランド配線１０３には、差動信号配線１０４を流れる信号電流のリターン電流のみが流れ、グランド配線１０６には、差動信号配線１０５を流れる信号電流のリターン電流のみが流れる。
【００２６】
また、差動信号配線１０４及び１０５の対と同様に、差動信号配線１０８及び１０９の対に信号電流が流れると、差動信号配線１０８に流れる信号電流のリターン電流は、グランドプレーン１１１とグランド配線１０７とに流れる。また、差動信号配線１０９に流れる信号電流のリターン電流は、グランドプレーン１１１とグランド配線１１０とに流れる。
【００２７】
この際にグランドプレーン１１１に流れる二つのリターン電流は、対である差動信号電流のリターン電流同士であるから、逆方向の電流が打ち消しあって実際にはグランドプレーン１１１には電流が殆ど流れない。一方、グランド配線１０７には、差動信号配線１０８を流れる信号電流のリターン電流のみが流れ、グランド配線１１０には、差動信号配線１０９を流れる信号電流のリターン電流のみが流れる。
【００２８】
また、シングルエンド信号配線１０１に信号電流が流れると、その信号電流のリターン電流は、グランドプレーン１１１とグランド配線１０２とに流れる。
【００２９】
従って、グランド配線１０６には、差動信号配線１０５に流れる信号電流のリターン電流のみが流れ、グランド配線１０７には、差動信号配線１０８に流れる信号電流のリターン電流のみが流れる。これにより、差動信号配線１０５を流れる信号電流のリターン電流と差動信号配線１０８を流れる信号電流のリターン電流とがグランド配線を共用することは無くなる。
【００３０】
同様に、グランド配線１０２には、シングルエンド信号配線１０１のリターン電流のみが流れ、グランド配線１０３には差動信号配線１０３に流れる信号電流のリターン電流のみが流れるため、シングルエンド信号配線１０１を流れる信号電流のリターン電流と差動信号配線１０４を流れる信号電流のリターン電流とがグランド配線を共用することは無くなる。
【００３１】
このように、本実施形態に係るプリント配線板は、差動信号電流の流れる配線と、その隣にある差動信号又はシングルエンド信号が流れる配線とが、リターン電流の電流経路を共通にしないため、差動信号配線が別の信号配線と干渉を起こさない。
【００３２】
〔第２の実施形態〕
本発明を好適に実施した第２の実施形態について説明する。
図２に、本実施形態に係るプリント配線板の断面構成を示す。このプリント配線板は、中央に配置されたグランド配線層３１の一方の面には絶縁層３３を挟んで信号配線層３０が配置され、他方の面には、絶縁層３４を挟んで信号配線層３２が配置されている。また、グランド配線層３１には、面状のグランドプレーン１３０が配置されている。
【００３３】
信号配線層３０には、二つの差動信号配線対（差動信号配線１３４及び１３５の対と差動信号配線１３８及び１３９との対）、シングルエンド配線１３１、グランド配線１３２，１３３，１３６，１３７及び１４０が配置されている。
【００３４】
また、信号配線層３２には、二つの差動信号配線対（差動信号配線１４４及び１４５の対と差動信号配線１４８及び１４９との対）、シングルエンド配線１４１、グランド配線１４２，１４３，１４６，１４７及び１５０が配置されている。
【００３５】
差動信号配線１３４及び１３５の対に関しては、差動信号配線１３４の隣にグランド配線１３３が、差動信号配線１３５の隣にはグランド配線１３６が配置されている。また、差動信号配線１３８及び１３９の対に関しては、差動信号配線１３８の隣にグランド配線１３７が、差動信号配線１３９の隣にグランド配線１４０が配置されている。すなわち、差動信号配線の対同士の間に、グランド配線１３６及び１３７という二本のグランド配線が配置されている。
【００３６】
また、シングルエンド信号配線１３１の隣には、グランド配線１３２が配置されている。すなわち、シングルエンド信号配線１３１と差動信号配線１３４との間には、グランド信号配線１３２及び１３３という二本のグランド配線が配置されている。
【００３７】
同様に、差動信号配線１４４及び１４５の対に関しては、差動信号配線１４４の隣にグランド配線１４３が、差動信号配線１４５の隣にはグランド配線１４６が配置されている。また、差動信号配線１４８及び１４９の対に関しては、差動信号配線１４８の隣にグランド配線１４７が、差動信号配線１４９の隣にグランド配線１５０が配置されている。すなわち、差動信号配線の対同士の間に、グランド配線１４６及び１４７という二本のグランド配線が配置されている。
【００３８】
また、シングルエンド信号配線１４１の隣には、グランド配線１４２が配置されている。すなわち、シングルエンド信号配線１４１と差動信号配線１４４との間には、グランド信号配線１４２及び１４３という二本のグランド配線が配置されている。
【００３９】
本実施形態にかかるプリント配線板に信号電流を流す場合の動作について説明する。
信号配線層３０に形成されている差動信号配線１３４及び１３５の対に信号電流が流れると、差動信号配線１３４に流れる信号電流のリターン電流は、グランドプレーン１３０とグランド配線１３３とに流れる。また、差動信号配線１３５に流れる信号電流のリターン電流は、グランドプレーン１３０とグランド配線１３６とに流れる。
【００４０】
この際にグランドプレーン１３０に流れる二つのリターン電流は、対である差動信号電流のリターン電流同士であるから、逆方向の電流が打ち消しあって実際にはグランドプレーン１３０には電流が殆ど流れない。一方、グランド配線１３３には、差動信号配線１３４を流れる信号電流のリターン電流のみが流れ、グランド配線１３６には、差動信号配線１３５を流れる信号電流のリターン電流のみが流れる。
【００４１】
また、差動信号配線１３４及び１３５の対と同様に、差動信号配線１３８及び１３９の対に信号電流が流れると、差動信号配線１３８に流れる信号電流のリターン電流は、グランドプレーン１３０とグランド配線１３７とに流れる。また、差動信号配線１３９に流れる信号電流のリターン電流は、グランドプレーン１３０とグランド配線１４０とに流れる。
【００４２】
この際にグランドプレーン１３０に流れる二つのリターン電流は、対である差動信号電流のリターン電流同士であるから、逆方向の電流が打ち消しあって実際にはグランドプレーン１３０には電流が殆ど流れない。一方、グランド配線１３７には、差動信号配線１３８を流れる信号電流のリターン電流のみが流れ、グランド配線１４０には、差動信号配線１３９を流れる信号電流のリターン電流のみが流れる。
【００４３】
また、シングルエンド信号配線１３１に信号電流が流れると、その信号電流のリターン電流は、グランドプレーン１３０とグランド配線１３２とに流れる。
【００４４】
従って、グランド配線１３６には、差動信号配線１３５に流れる信号電流のリターン電流のみが流れ、グランド配線１３７には、差動信号配線１３８に流れる信号電流のリターン電流のみが流れる。これにより、差動信号配線１３５を流れる信号電流のリターン電流と差動信号配線１３８を流れる信号電流のリターン電流とがグランド配線を共用することは無くなる。
【００４５】
同様に、グランド配線１３２には、シングルエンド信号配線１３１のリターン電流のみが流れ、グランド配線１３３には差動信号配線１３３に流れる信号電流のリターン電流のみが流れるため、シングルエンド信号配線１３１を流れる信号電流のリターン電流と差動信号配線１３４を流れる信号電流のリターン電流とがグランド配線を共用することは無くなる。
【００４６】
さらに、信号配線層３２に形成されている差動信号配線１４４及び１４５の対に信号電流が流れると、差動信号配線１４４に流れる信号電流のリターン電流は、グランドプレーン１３０とグランド配線１４３とに流れる。また、差動信号配線１４５に流れる信号電流のリターン電流は、グランドプレーン１３０とグランド配線１４６とに流れる。
【００４７】
この際にグランドプレーン１３０に流れる二つのリターン電流は、対である差動信号電流のリターン電流同士であるから、逆方向の電流が打ち消しあって実際にはグランドプレーン１３０には電流が殆ど流れない。一方、グランド配線１４３には、差動信号配線１４４を流れる信号電流のリターン電流のみが流れ、グランド配線１４６には、差動信号配線１４５を流れる信号電流のリターン電流のみが流れる。
【００４８】
また、差動信号配線１４４及び１４５の対と同様に、差動信号配線１４８及び１４９の対に信号電流が流れると、差動信号配線１４８に流れる信号電流のリターン電流は、グランドプレーン１３０とグランド配線１４７とに流れる。また、差動信号配線１４９に流れる信号電流のリターン電流は、グランドプレーン１３０とグランド配線１５０とに流れる。
【００４９】
この際にグランドプレーン１３０に流れる二つのリターン電流は、対である差動信号電流のリターン電流同士であるから、逆方向の電流が打ち消しあって実際にはグランドプレーン１３０には電流が殆ど流れない。一方、グランド配線１４７には、差動信号配線１４８を流れる信号電流のリターン電流のみが流れ、グランド配線１５０には、差動信号配線１４９を流れる信号電流のリターン電流のみが流れる。
【００５０】
また、シングルエンド信号配線１４１に信号電流が流れると、その信号電流のリターン電流は、グランドプレーン１３０とグランド配線１４２とに流れる。
【００５１】
従って、グランド配線１４６には、差動信号配線１４５に流れる信号電流のリターン電流のみが流れ、グランド配線１４７には、差動信号配線１４８に流れる信号電流のリターン電流のみが流れる。これにより、差動信号配線１４５を流れる信号電流のリターン電流と差動信号配線１４８を流れる信号電流のリターン電流とがグランド配線を共用することは無くなる。
【００５２】
同様に、グランド配線１４２には、シングルエンド信号配線１４１のリターン電流のみが流れ、グランド配線１４３には差動信号配線１４３に流れる信号電流のリターン電流のみが流れるため、シングルエンド信号配線１４１を流れる信号電流のリターン電流と差動信号配線１４４を流れる信号電流のリターン電流とがグランド配線を共用することは無くなる。
【００５３】
このように、本実施形態に係るプリント配線板は、一つのグランド層の両側にそれぞれ設けられた信号配線層に形成された差動信号配線が、同じ信号配線層内の他の差動信号配線やシングルエンド信号配線と干渉することを防止できる。
【００５４】
〔第３の実施形態〕
本発明を好適に実施した第３の実施形態について説明する。本実施形態に係るプリント配線基板は、図１に示した第１の実施形態に係るプリント配線板とほぼ同様である。
ただし、本実施形態にかかるプリント配線板は、絶縁層１２、信号配線層１１及びグランド配線層１３が可撓性を有しており、フレキシブルプリント配線板となっている。
なお、絶縁層１２、信号配線層１１及びグランド配線層１３は、従来のフレキシブルプリント配線板と同様の材料を適用可能である。
【００５５】
各信号配線に信号電流が流れた場合の動作は、第１の実施形態と同様であるため、詳細な説明は省略する。
【００５６】
本実施形態に係るプリント配線板は、可撓性を有するフレキシブルプリント配線板であるため、例えば、折り畳み型電子機器のヒンジ部内を引き回したりすることが可能となる。
【００５７】
本実施形態においては、第１の実施形態と同様の構成に可撓性を持たせた場合について説明したが、第２の実施形態と同様の構成に可撓性を持たせた場合についても同様である。
【００５８】
なお、上記各実施形態は、本発明の好適な実施の一例であり本発明はこれに限定されることはない。
例えば、上記各実施形態においては、シングルエンド信号配線が最も端に配置された場合を例に説明したが、シングルエンド信号配線は必ずしも端に配置する必要は無い。さらには、シングルエンド信号配線は、フレキシブルプリント配線板に配置されていなくても良い。
このように本発明は様々な変形が可能である。
【図面の簡単な説明】
【００５９】
【図１】本発明を好適に実施した第１の実施形態にかかるプリント配線板の断面構成を示す図である。
【図２】本発明を好適に実施した第２の実施形態にかかるプリント配線板の断面構成を示す図である。
【図３】従来のフレキシブルプリント配線板の断面構成を示す図である。
【符号の説明】
【００６０】
１０、３０、３２    信号配線層
１１、３１    グランド配線層
１２、３２、３４    絶縁層
１０１、１３１、１４１    シングルエンド信号配線
１０２、１０３、１０６、１０７、１１０、１３２、１３３、１３６、１３７、１４０、１４２、１４３、１４６、１４７、１５０    グランド配線
１０４、１０５、１０８、１０９、１３４、１３５、１３８、１３９、１４４、１４５、１４８、１４９    差動信号配線
１１１、１３０    グランドプレーン
【図１】
2005123520.tif 000003
【図２】
2005123520.tif 000004
【図３】
2005123520.tif 000005